(57)【要約】【課題】  キースイッチのおいてはキートップを押した時にバネ部材が弾性変形するためのストロークをある程度稼ぐ必要がある。しかし、従来のラバー製バネ部材では側面形状が高くなってしまい、キースイッチ全体の背の高さを低く抑えることが難しかった。【解決手段】  基台２と、前記基台２の上方に配置されるキートップ３と、互いに連動して前記キートップ３を基台２に対して昇降動作可能に支持するためにＸ字状に交差して配設される第１リンク部材４及び第２リンク部材５と、前記基台２と前記キートップ３との間に配置され前記キートップ３の昇降動作に応じて電気回路７ｂの接点部７ａを開閉するスイッチ機構６とを備えるキースイッチ１において、前記スイッチ機構６は、前記基台２の上面２ａに配置され電気回路７ｂの接点部７ａを有するシート状スイッチ部材７と、前記電気回路７ｂの接点部７ａ上に配置される金属製の板状バネ部材８と、前記板状バネ部材８を収納し前記基台２に固定されるハウジング９と、を備える。【選択図】  図１
2018006007.tif 000002
【特許請求の範囲】
【請求項１】
基台と、
前記基台の上方に配置されるキートップと、
互いに連動して前記キートップを基台に対して昇降動作可能に支持するためにＸ字状に交差して配設される一対のリンク部材と、
前記基台と前記キートップとの間に配置され前記キートップの昇降動作に応じて電気回路の接点部を開閉するスイッチ機構とを備えるキースイッチにおいて、
前記スイッチ機構は、前記基台の上面に配置され電気回路の接点部を有するシート状スイッチ部材と、前記電気回路の接点部上に配置される金属製の板状バネ部材と、前記板状バネ部材を収納し前記基台に固定されるハウジングと、を備えるキースイッチ。
【請求項２】
前記一対のリンク部材は、交差部において回動可能に接続された第１リンク部材と第２リンク部材とを備え、
前記第１リンク部材の一端側が基台に支持されると共に他端側がキートップに支持され、第２リンク部材の一端側がキートップに支持されると共に他端側が基台に支持される請求項１に記載のキースイッチ。
【請求項３】
前記板状バネ部材は弾性変形する押圧部を有し、且つ押圧部には孔部が設けられている請求項１に記載のキースイッチ。
【請求項４】
前記板状バネ部材は弾性変形する押圧部を有し、且つ押圧部の一部に切り起こし片が設けられている請求項１に記載のキースイッチ。
【請求項５】
前記押圧部は小さな膨らみを持ったドーム形状をしている請求項３又は４に記載のキースイッチ。
【請求項６】
前記ハウジングは前記板状バネ部材を収納する凹部を有する枠体を有し、この枠体には前記凹部を覆うシート状部材が設けられ、シート状部材の上面には前記板状バネの押圧部に対応する位置に突起が設けられている請求項１に記載のキースイッチ。
【発明の詳細な説明】
【技術分野】
【０００１】
本発明は、パーソナルコンピュータなどの電子機器の入力装置であるキーボードなどに搭載されるキースイッチに関する。
【背景技術】
【０００２】
従来、この種のキースイッチとして、基台と、基台の上方に配置されるキートップと、互いに連動してキートップを基台に対して昇降方向へ案内支持するＸ字状に交差して配設されたいわゆるパンタグラフ式の一対のリンク部材と、キートップの昇降動作に対応して電気回路の接点部が開閉するスイッチ機構とを備えたものが知られている（特許文献１参照）。前記一対のリンク部材は、両方のリンク部材の交差部が回動可能に接続されており、互いに連動して回動することにより、キートップを基台に対して実質的鉛直方向へ水平姿勢を保持しつつ昇降動作させることができる。また、前記スイッチ機構は側面台形状をしたラバー製バネ部材を有している。このラバー製バネ部材は、キートップの下降動作に伴い電気回路の接点部を閉成するように弾性変形すると共に、キートップの上昇動作時には上限位置に復帰させる弾性的付勢力を発揮する付勢部材として機能する。
【先行技術文献】
【特許文献】
【０００３】
【特許文献１】特開平１１−７３８４４号公報
【発明の概要】
【発明が解決しようとする課題】
【０００４】
しかしながら、上記従来のキースイッチにあっては、キートップを押した時にソフトタッチのクリック感が得られるようにするためには、ラバー製バネ部材が弾性変形する際のストロークをある程度稼ぐ必要がある。そのためにラバー製バネ部材の側面形状が高くなってしまい、キースイッチ全体の背の高さを低く抑えることが難しかった。
【０００５】
そこで、本発明の目的は、背の高さを低く抑えたキースイッチを提供するものである。
【課題を解決するための手段】
【０００６】
上記課題を解決するため、本発明に係るキースイッチは、基台と、前記基台の上方に配置されるキートップと、互いに連動して前記キートップを基台に対して昇降動作可能に支持するためにＸ字状に交差して配設される一対のリンク部材と、前記基台と前記キートップとの間に配置され前記キートップの昇降動作に応じて電気回路の接点部を開閉するスイッチ機構とを備えるキースイッチにおいて、前記スイッチ機構は、前記基台の上面に配置され電気回路の接点部を有するシート状スイッチ部材と、前記電気回路の接点部上に配置される金属製の板状バネ部材と、前記板状バネ部材を収納し前記基台に固定されるハウジングと、を備える。
【発明の効果】
【０００７】
本発明に係るキースイッチによれば、従来のラバー製バネ部材に代えて金属製の板状バネ部材を用いたので、弾性変形する際のストロークを小さくすることができ、キースイッチの背の高さを低く抑えられる。
【図面の簡単な説明】
【０００８】
【図１】本発明に係るキースイッチの分解斜視図である。
【図２】基台の拡大斜視図である。
【図３】図１のＡ部拡大図である。
【図４】図１のＢ部拡大図である。
【図５】本発明の一実施形態に係る板状バネ部材の拡大斜視図である。
【図６】本発明の一実施形態に係るハウジングの拡大斜視図である。
【図７】基台に本発明のスイッチ機構を組み付けた斜視図である。
【図８】一対のリンク部材にキートップを組み付けた斜視図である。
【図９】本発明に係るキースイッチの斜視図である。
【図１０】（ａ）は図９の10a−10a断面図、（ｂ）は図１０の10b−10b断面図、（ｃ）は図１０の10c−10c断面図であって、いずれもキートップの上限位置における断面である。
【図１１】キートップの下限位置における図１０と同様の断面図である。
【図１２】本発明の他の実施形態に係る板状バネ部材の斜視図である。
【図１３】他の実施形態に係る板状バネ部材の弾性変形時の断面図である。
【発明を実施するための形態】
【０００９】
以下添付図面に基づいて本発明に係るキースイッチの実施形態を詳細に説明する。図１乃至図１１には本発明の一実施形態に係るキースイッチが示されている。このキースイッチ１は、矩形状の基台２と、この基台２の上方に配置されるキートップ３と、互いに連動して前記キートップ３を基台２に対して昇降動作可能に支持するためにＸ字状に交差して配設される第１リンク部材４及び第２リンク部材５と、前記基台２と前記キートップ３との間に配置され前記キートップ３の昇降動作に応じて電気回路の接点部を開閉するスイッチ機構６とを備える。前記スイッチ機構６は、前記基台２の上面２ａに配置されて電気回路７ｂの接点部７ａを有するシート状スイッチ部材７と、前記電気回路の接点部７ａ上に配置される金属製の板状バネ部材８と、前記板状バネ部材８を収納し前記基台２に固定されるハウジング９とを備えている。
【００１０】
図１及び図２に示されるように、前記基台２は剛性を有する平板状の樹脂板又は金属板からなり、平坦な上面２ａを有する。基台２の長辺側の左右両側には対称形の一対の開口窓２ｂが設けられる。この開口窓２ｂの基本形状は矩形であり、その内側縁には基台２の一部を切り起こして形成した一対の係合部２ｃが互いに向かい合うように設けられている。これらの係合部２ｃには前記ハウジング９の左右の枠体９ａの外側面から突出する係合突起９ｃが係合される係合孔２ｄが設けられる。また、前記一対の開口窓２ｂの内側縁には前記一対の係合部２ｃに挟まれた位置に矩形状の張出部２ｅが設けられる。そして、この一対の張出部２ｅの一方側に前記ハウジング９を基台２の上面２ａに載置する際の位置決め孔２ｆが設けられる。
【００１１】
さらに、上記基台２には、前記一対の開口窓２ｂの内側縁の一端側に前記第１リンク部材４と係合する第１フック２ｇが設けられ、また前記開口窓２ｂの外側縁の他端側に前記第２リンク部材５と係合する第２フック２ｈが設けられている。第１フック２ｇ及び第２フック２ｈは、それぞれの先端にＬ字状に屈曲した形の鉤部２ｇ’、２ｈ’を有している。さらにまた、上記基台２には、前記一対の開口窓２ｂの各内側縁の他端側に一対のガイドピン２ｉが上向きに設けられている。このガイドピン２ｉは、一対のリンク部材４，５が基台２から外れないようにするためのガイドとなる。
【００１２】
前記シート状スイッチ部材７は、一例ではメンブレンシートスイッチからなり、前記基台２の上面２ａに載置される。メンブレンシートスイッチ７は、対向させた一対の接点とこの接点から延びる電気回路７ｂがそれぞれパターン形成された一対のフレキシブル回路基板７ｃからなり、前記一対の接点が開放状態に保持された状態で接点部７ａを構成している。このメンブレンシートスイッチ７には、前記基台２に設けられた開口窓２ｂと基本形状がほぼ同じ矩形状の一対の開口窓７ｄが設けられる。この開口窓７ｄは、図７に示されるように、前記基台２の上面２ａにメンブレンシートスイッチ７を載置した時に、基台２の開口窓２ｂとほぼ重なる位置に設けられており、基台２に設けられた係合部２ｃ、張出部２ｅ、第１フック２ｇ、第２フック２ｈ及びガイドピン２ｉがメンブレンシートスイッチ７の開口窓７ｄから露出する。
【００１３】
前記キートップ３は、樹脂成形品からなる平面視で方形又は矩形の平板状部材であり、上面３ａが操作面となる。また、上面３ａの内側には前記第１リンク部材４及び第２リンク部材５の一端側を回動支持する支持部が設けられている。この支持部はキートップ３の内側に設けられた凹部３ｂの内周面の四隅に近接する位置に設けられ、前記凹部３ｂの他端側の両隅部に設けられる一対の支持溝部３ｃと、凹部３ｂの一端側の両隅部に設けられる一対の支持受部３ｄとからなる。前記支持溝部３ｃは下方側が開放された凹溝である。また、前記支持受部３ｄは、図３に示されるように、水平台３ｄ’と、この水平台３ｄ’の内側端に設けられた縦壁３ｄ’’とを有する。なお、キートップ３の凹部３ｂの中心には下方に向けて僅かに突出する円柱状突起３ｅが一体に設けられる。
【００１４】
前記第１リンク部材４及び第２リンク部材５は、Ｘ字状に交差して配設されたいわゆるパンタグラフ式のリンク部材である。第１リンク部材４及び第２リンク部材５のいずれもが、左右一対の腕部４ａ，５ａと、これら腕部４ａ，５ａを繋ぐ連結部４ｂ，５ｂとで四角形の枠体を構成する樹脂成形品からなる。第１リンク部材４の左右の腕部４ａのほぼ中間部には外側面から突出する支軸４ｃが設けられ、この支軸４ｃに対応して前記第２リンク部材５の左右の腕部５ａのほぼ中間部には前記支軸４ｃを回転可能に支持する軸受溝５ｃが設けられて、これら支軸４ｃと軸受溝５ｃとでＸ字状リンクの交差部１２を構成している（図１０（ｃ）及び図１１（ｃ）を参照）。この実施形態において、前記軸受溝５ｃは、図１０（ｃ）及び図１１（ｃ）に示されるように、先端が上向きに屈曲した傾斜溝によって形成されており、回動する際に支軸４ｃを確実に支持することで、第１リンク部材４と第２リンク部材５とが互いにスムーズに連動できるようにしている。
【００１５】
このように、前記支軸４ｃと軸受溝５ｃとで構成される交差部１２において、第１リンク部材４と第２リンク部材５とが回動可能に接続されることになる。具体的には第２リンク部材５の枠体の内側空間５ｄ内に第１リンク部材４を配置し、軸受溝５ｃに支軸４ｃを嵌め入れて接続することで、第１リンク部材４と第２リンク部材５とは交差部１２においてＸ字状に交差した状態で配設される。
【００１６】
上記交差部１２において接続された第１リンク部材４及び第２リンク部材５は、前記基台２とキートップ３にそれぞれ支持される。この実施形態では第１リンク部材４の腕部４ａの一端側には前記基台２に設けられた第１フック２ｇと係合する係合溝孔４ｄが設けられる。この係合溝孔４ｄは、図４に示されるように、前記第１フック２ｇの先端の鉤部２ｇ’が係合する水平バー４ｄ’を孔の先端に有している。また、腕部４ａの他端側には前記キートップ３に設けられた支持溝部３ｃに嵌合される円柱状の支持ピン４ｅが設けられている。一方、第２リンク部材５の腕部５ａの一端側には前記キートップ３に設けられた支持受部３ｄの水平台３ｄ’の上に載置された状態で支持される支持ピン５ｅが設けられ、腕部５ａの他端側には前記基台２に設けられた第２フック２ｈと係合する支持ピン５ｆが設けられる。この支持ピン５ｆは、図１０（ｃ）及び図１１（ｃ）に示されるように、前記第２フック２ｈの先端の鉤部２ｈ’と係合するフック部５ｆ’を有している。
【００１７】
上述したように、前記第１リンク部材４及び第２リンク部材５は、交差部１２において回動可能に接続されると共に、各腕部４ａ，５ａの両端側が前記基台２とキートップ３とに回動可能に支持される。前記第１リンク部材４は、図１０（ａ）及び図１１（ａ）に示されるように、基台２の一端側に設けられた第１フック２ｇを支点として腕部４ａの他端側が上下に回動し、前記第２リンク部材５は、図１０（ｃ）及び図１１（ｃ）に示されるように、基台２の他端側に設けられた第２フック２ｈを支点として腕部５ａの一端側が上下に回動する。その際、腕部４ａ，５ａの回動が互いにスムーズとなるように、第１リンク部材４側では、図１０（ａ）及び図１１（ａ）に示されるように、前記第１フック２ｇが係合する係合溝孔４ｄに所定のクリアランスｃ１を設けている。また、第２リンク部材５側では、図１０（ｃ）及び図１１（ｃ）に示されるように、腕部５ａの一端側の支持ピン５ｅを支持する支持受部３ｄの水平台３ｄ’に所定のクリアランスｃ２を設けている。そのため、第１リンク部材４及び第２リンク部材５が回動する際には、各腕部４ａ，５ａがクリアランスｃ１、ｃ２内で多少動き得ることで、互いの連動がスムーズとなる。
【００１８】
前記メンブレンシートスイッチ７の接点部７ａ上には板状バネ部材８が配設される。この板状バネ部材８は、図１及び図５に示されるように、バネ性を有する薄板金属材、例えばステンレス材によって全体が略四角形に形成され、外縁の角部４カ所に脚部８ａが設けられ、中央部には小さな膨らみを持ったドーム形状の円形の押圧部８ｂが形成される。各脚部８ａは押圧部８ｂから先端に向かって傾斜しており、図１０（ｂ）に示されるように、板状バネ部材８が配置された時には押圧部８ｂの内側とメンブレンシートスイッチ７の接点部７ａとの間に押圧部８ｂが弾性変形するための空間１０が確保され、押圧部８ｂの良好なクリック感が得られる。この空間１０は従来のラバー製バネ部材が弾性変形するためにストロークに比べて小さいものである。
【００１９】
また、この実施形態では、図５に示されるように、押圧部８ｂには同一形状の４個の孔部８ｃが全面に設けられている。この孔部８ｃは押圧部８ｂを構成する薄板金属材を型抜きしたものである。このような孔部８ｃを押圧部８ｂの全体に設けることで、押圧部８ｂが容易に弾性変形して、ソフトタッチのクリック感を得ることが出来る。このように、薄板金属材からなる板状バネ部材８は、従来のようなラバー製バネ部材とは異なって弾性変形するストロークが小さくても安定した良好なクリック感が得られる。また、この実施形態では板状バネ部材８の押圧部８ｂに大きな孔部８ｃを設けたことで、より一層ソフトタッチのクリック感を得ることができる。なお、前記孔部８ｃの形状や大きさなどを適時設計変更することで、押圧部８ｂを押した時のソフトタッチを調整することができる。
【００２０】
前記板状バネ部材８はその上方に配置されたハウジング９内に収納されている。このハウジング９は、図１及び図６に示されるように、樹脂材によって一体成形された四角形状の枠体９ａからなり、枠体９ａの内側には前記板状バネ部材８を収納する四角形状の凹部９ｂが形成されている。そして、この凹部９ｂに収納された板状バネ部材８は、凹部９ｂの四隅に４本の脚部８ａの各先端をそれぞれ突き当てることで保持されると共に、ハウジング９の凹部９ｂの上面を被覆するシート状部材１１によって上方への飛び出しが防止される。このシート状部材１１はフィルム状樹脂シートからなり、外周部がハウジング９の枠体９ａの上面に接着され、上から押された時には撓み変形が可能である。また、ハウジング９の左右の枠体９ａの外側面には枠体９ａの前後端の近傍に、前記基台２に設けられた係合部２ｃに固定される係合突起９ｃがそれぞれ設けられている。
【００２１】
なお、前記シート状部材１１の上面には中心部に円錐台状の突起１１ａが設けられている。この円錐台状突起１１ａは背の低い円錐台をシート状部材１１に一体成形したものであり、前記板状バネ部材８の押圧部８ｂに対応した位置に設けられる。また、この円錐台状突起１１ａは前記キートップ３の内側に設けられた背の低い円柱状突起３ｅの位置とも対応している。
【００２２】
上記の構成部材からなるキースイッチ１は、図７に示されるように、先ず基台２の上にメンブレンシートスイッチ７を載置し、両者の開口窓２ｂ，７ｄを位置合わせしたのち接着される。次いでメンブレンシートスイッチ７の接点部７ａの上に板状バネ部材８を配置し、その上からハウジング９を被せる。ハウジング９の位置決めは、基台８の張出部２ｅに設けた位置決め孔２ｆにハウジング９の枠体９ａの下面に突出させた位置決めピン９ｄを位置合わせすることで行う。また、ハウジング９の左右の枠体９ａに設けた係合突起９ｃを基台２に設けた係合部２ｃの係合孔２ｄに差し込んで係合させ、ハウジング９を基台２に固定する。なお、係合突起９ｃを係合孔２ｄに差し込んだのち係合部２ｃにかしめることで固定してもよい。かしめ手段としては、例えば熱かしめや冷間かしめなどが適用される。
【００２３】
図８はキートップ３に第１リンク部材４及び第２リンク部材５を組み込んだ状態を示す。第１リンク部材４と第２リンク部材５とは、第１リンク部材４の腕部４ａのほぼ中間部に設けられた支軸４ｃを第２リンク部材５の腕部５ａのほぼ中間部に設けられた軸受溝５ｃの嵌め入れることにより接続されると共に、第１リンク部材４の腕部４ａの他端側に設けられた支持ピン４ｅがキートップ３の凹部３ｂの他端側の両隅部近傍に設けられた支持溝部３ｃに嵌合支持され、また第２リンク部材５の腕部５ａの一端側に設けられた支持ピン５ｅがキートップ３の凹部３ｂの一端側の両隅部に設けられた支持受部３ｄによって支持される。
【００２４】
図９は上記キートップ３に組み込まれた一対のリンク部材４，５を基台２に組み込んだ状態を示す。基台２に固定されたハウジング９の上から上記一対のリンク部材４，５を被せる。この時、第１リンク部材４の四角枠の内側にハウジング９が納まる。次に第１リンク部材４の腕部４ａの一端側に設けられた係合溝孔４ｄに基台２の前端側に設けられた第１フック２ｇを挿入し、図１０（ａ）及び図１１（ａ）に示されるように、第１フック２ｇの先端の鉤部２ｇ’を水平バー４ｄ’に係合させる。また、第２リンク部材５の腕部５ａの他端側に設けられた支持ピン５ｆを基台２に設けられた第２フック２ｈに係合させる。
【００２５】
次に図１０及び図１１に基づいて、本実施形態に係るキースイッチ１の動作について説明する。図１０にはキートップ３の上限位置の状態が示されている。図１０（ｃ）に示されるように、一対のリンク部材４，５は、支軸４ｃが軸受溝５ｃに嵌合支持されることで交差するように配設されＸ字状を構成する。また、図１０（ｂ）に示されるように、ハウジング９の上面を覆うシート状部材１１に設けられた円錐台状突起１１ａの上面がキートップ３の内側面に設けられた円柱状突起３ｅと接触している。また、メンブレンシートスイッチ７の接点部７ａでは一対の接点が開放状態に保持され、この開放状態を保つように、接点部７ａの上方に板状バネ部材８がシート状部材１１の下面と接触するようにして押圧部８ｂを保持している。
【００２６】
また、第１リンク部材４は、図１０（ａ）及び図１１（ａ）に示されるように、腕部４ａの一端側に設けられた係合溝孔４ｄに基台２の第１フック２ｇが係合され、腕部４ａの他端側に設けられた支持ピン４ｅがキートップ３の支持溝部３ｃに嵌合支持されている。一方、第２リンク部材５は、図１０（ｃ）及び図１１（ｃ）に示されるように、腕部５ａの一端側に設けられた支持ピン５ｅがキートップ３の支持受部３ｄに支持され、腕部５ａの他端側に設けられた支持ピン５ｆが基台２の第２フック２ｈに係合している。このようにして、一対のリンク部材４、５は、第１リンク部材４の一端側を支点として、また第２リンク部材５の他端側を支点として、互いに交差しながら回動することになり、パンタグラルフのように上下することによって、キートップ３を基台２に対して実質的に鉛直方向に水平姿勢を保持しつつ昇降動作させることができる。
【００２７】
図１１はキートップ３が昇降動作の下限位置にあるとき時の状態を示す。キートップ３を押し下げると、Ｘ字状を構成していた一対のリンク部材４，５は交差部１２を中心に互いに横臥するように回動する。このリンク部材４，５の回動によってキートップ３が下降し、図１１（ｂ）に示されるように、円柱状突起３ｅが円錐台状突起１１ａを押して、シート状部材１１を下方に撓ませることで板状バネ部材８を下方に押す。押された板状バネ部材８は押圧部８ｂが湾曲状に弾性変形することでメンブレンシートスイッチ７の接点部７ａが押圧されて閉成する。また、キートップ３の上面から手を離すと押圧力が解除され、板状バネ部材８の弾性復帰力によってシート状部材１１を押上げると共に円錐台状突起１１ａ及び円柱状突起３ｅを介してキートップ３を押し上げる力が働き、それに伴って一対のリンク部材４，５が互いに連動して起き上がる方向に回動し、Ｘ字状を再び構成する。前述したように、第１リンク部材４側では、前記第１フック２ｇが係合する係合溝孔４ｄに所定のクリアランスｃ１を設けてあり、また、第２リンク部材５側では、腕部５ａの一端側の支持ピン５ｅを支持する支持受部３ｄの水平台３ｄ’に所定のクリアランスｃ２を設けてあるので、第１リンク部材４及び第２リンク部材５の回動が互いにスムーズとなる。
【００２８】
図１２及び図１３には板状バネ部材の他の実施形態が示されている。この実施形態に係る板状バネ部材１８は中央部には小さな膨らみを持ったドーム形状の円形の押圧部１８ｂとその外周縁４カ所に脚部１８ａを有するもので、押圧部１８ｂの一部にメンブレンシートスイッチ７の接点部７ａに向かう押圧片１８ｃが設けられている。この押圧片１８ｃは押圧部１８ｂの中央部分にコ字状の切込み１８ｄを入れ、この切込み１８ｄの内側を下方側に切り起こしたものである。また、押圧片１８ｃは先端部分に平坦部１８ｅを有している。この板状バネ部材１８は、押圧部１８ｂだけでなく押圧片１８ｃが弾性変形し、メンブレンシートスイッチ７の接点部７ａを押圧片８ｃの平坦部１８ｅが直接押圧する。したがって、この実施形態に係る板状バネ部材１８は、最初に押圧部１８ｂが弾性変形し、さらに押圧を加えることで押圧片１８ｃが弾性変形して接点部７ａを押圧するので、２段階でメンブレンシートスイッチ７の接点部７ａを押圧することになり、よりソフトタッチのクリック感が得られる効果がある。
【００２９】
１  キースイッチ
２  基台
２ａ  上面
２ｂ，７ｄ  開口窓
２ｃ  係合部
２ｄ  係合孔
２ｅ  張出部
２ｆ  位置決め孔
２ｇ  第１フック
２ｇ’，２ｈ’  鉤部
２ｈ  第２フック
２ｉ  ガイドピン
３  キートップ
３ａ  上面
３ｂ  凹部
３ｃ  支持溝部
３ｄ  支持受部
３ｄ’  水平台
３ｄ’’  縦壁
３ｅ  円柱状突起
４  第１リンク部材
４ａ，５ａ  腕部
４ｂ，５ｂ  連結部
４ｃ  支軸
４ｄ  係合溝孔
４ｄ’  水平バー
４ｅ，５ｅ  支持ピン
４ｆ，５ｆ  支持ピン
５  第２リンク部材
５ｃ  軸受溝
５ｄ  内側空間
５ｆ’  フック部
６  スイッチ機構
７  シート状スイッチ部材（メンブレンシートスイッチ）
７ａ  接点部
７ｂ  電気回路
７ｃ  フレキシブル回路基板
８，１８  板状バネ部材
８ａ，１８ａ  脚部
８ｂ、１８ｂ  押圧部
８ｃ  孔部
９  ハウジング
９ａ  枠体
９ｂ  凹部
９ｃ  係合突起
９ｄ  位置決めピン
１０  空間
１１  シート状部材
１１ａ  円錐台状突起
１２  交差部
１８ｃ  押圧片
１８ｄ  切込み
１８ｅ  平坦部
ｃ１、ｃ２  クリアランス
【図１】
2018006007.tif 000003
【図２】
2018006007.tif 000004
【図３】
2018006007.tif 000005
【図４】
2018006007.tif 000006
【図５】
2018006007.tif 000007
【図６】
2018006007.tif 000008
【図７】
2018006007.tif 000009
【図８】
2018006007.tif 000010
【図９】
2018006007.tif 000011
【図１０】
2018006007.tif 000012
【図１１】
2018006007.tif 000013
【図１２】
2018006007.tif 000014
【図１３】
2018006007.tif 000015